Podtech/llm-jp-corpus-v4-ja_patent huggingface dataset:
(57)【要約】【課題】大型冷蔵庫において、最上段や上から２段目に収納した食材は身長が高くないとなかなか隅々まで見ることは不可能だった。本発明は以上の問題点を解決することを目的とする。【解決手段】大型冷蔵庫の内部、棚の上段下面に、取り付け具を用いて鏡を取り付け、冷蔵庫の手前から背面に向かって２０度〜３０度の角度を付けて鏡を取り付けた、冷蔵庫の奥まで見える鏡。【選択図】図１
2018091596.tif 000002
【特許請求の範囲】
【請求項１】
冷蔵庫の内部、棚の上段下面に、取り付け具を用いて鏡を取り付け、冷蔵庫の手前から背面に向かって２０度〜３０度の角度を付けて鏡を取り付けた、冷蔵庫の奥まで見える鏡。
【発明の詳細な説明】
【技術分野】
【０００１】本発明は、大型冷蔵庫の中身を見るための鏡で、食品を映して、何があるかよくわかるようにするものである。【０００２】従来、大型冷蔵庫は背の低い人にとっては、上段の中身を見るのが大変だった。
【発明の概要】
【発明が解決しようとする課題】
【０００３】大型冷蔵庫において、上段等に収納した食材は、身長が高くないとなかなか隅々まで見ることができなかった。
本発明は以上の問題点を解決するためになされたものである。
【課題を解決するための手段】
【０００４】大型冷蔵庫の内部、棚の上段下面に、取り付け具を用いて鏡を取り付け、冷蔵庫の手前から背面に向かって２０度〜３０度の角度を付けて鏡を取り付けた、冷蔵庫の奥まで見える鏡。
【発明の効果】
【０００５】子供や、背の低い人でも、冷蔵庫の上段から、すぐに見つけたいものを探せる。
【図面の簡単な説明】
【０００６】
【図１】本発明の要部の断面側面図
【図２】本発明の取付状態図
【図３】本発明のフックの斜視図
【発明を実施するための形態】
【０００７】以下、本発明の実施の形態を説明する。
（イ）大型冷蔵庫（１）の最上段と二段目の棚（４）に、図１・図２のようにフック（２      ）を用いて鏡（３）を取り付ける。
（ロ）一実施例として図２に示したように、大型冷蔵庫（１）の背面（６）側の棚の奥の      面の中央にフック（２）を１個取付け、大型冷蔵庫（１）の前面（７）の扉（５）      側の天井にフック（２）を２個取り付ける。
（ハ）鏡（３）はあらかじめ取り付けたフック（２）に引っ掛け、前面（７）から背面（      ６）に向かって２０度から３０度の傾斜角度を付ける。この際にフック（２）の先      端（８）を折り曲げて、傾斜角度を持たせる。
（ニ）既存の大型冷蔵庫（１）に鏡（３）を取り付ける場合は、本発明の実施例で示した      ように、フック（２）を固定させて、そこに鏡（３）を取り付けるが、新たな大型      冷蔵庫（１）に鏡（３）の取付具を組み込んでも良い。
本発明は以上のような構造である。
本発明を使用する時は、大型冷蔵庫（１）を開けた時、上段に取り付けた鏡（３      ）によって上の方の食材が映るので、とても見えにくいところが容易に見られ、探      す手間が省ける。
【符号の説明】
【０００８】１大型冷蔵庫  ２フック  ３鏡  ４棚  ５扉  ６背面  ７前面  ８先端
【図１】
2018091596.tif 000003
【図２】
2018091596.tif 000004
【図３】
2018091596.tif 000005
(57)【要約】      （修正有）【課題】鉄道車両による風景作品を作成するための方法を提供する。【解決手段】鉄道事業に、従来の様に、鉄道車両を毎日、時刻表通りに運行して、人、物を輸送し、その運賃を得る主要業務の他に、新規分野として、鉄道車両に、ビデオカメラを設置して、各駅間の色色な風景を撮影する。これらを、そのままで、又は、色色と加工、編集して、出来る範囲で、その地方の紹介や観光案内等も組み込み、その地方の魅力的な鉄道風景の作品を作成する。この作品を積極的に販売するのは勿論、この作品のその地方の紹介や観光案内機能を積極的に有効活用して、その地方の知名度、及び、集客力を大幅に引上げ、大幅な増収、増益を図る。【選択図】図１
2018190364.tif 000002
【特許請求の範囲】
【請求項１】
鉄道車両に、ビデオカメラを設置して、各駅間の色色な風景を撮影すること。
【請求項２】
鉄道車両に、ビデオカメラを設置して、各駅間の色色な風景を撮影し、それらを、そのままで、又は、色色と加工、編集して、出来る範囲で、その地方の紹介や観光案内等も組み込み、その地方の魅力的な鉄道風景の作品を作成すること。
【発明の詳細な説明】
【技術分野】
【０００１】  本発明は、鉄道事業の収益の改善の為に、新規分野として、鉄道車両を利用して、風景を撮影し、それらを、活用して、その地方の魅力的な鉄道風景の作品を作成する。
【背景技術】
【０００２】  近年、鉄道事業は、特に地方では、経営環境が、非常に厳しい所が多い。
それでも、鉄道車両は原則、毎日、時刻表通りに運行している。
そして、観光立国を標榜する我が国には、地方に、まだまだ多くの美しい自然が残っています。
そして、旅人なら、訪れた地方の美しい風景を、ビデオカメラで撮影しておきたいと思う人も多いと思います。
又、一方、技術面では、特に、我が国は、カメラ関連の技術、及び、メモリーの大容量化等々が、日々目覚しい進歩を遂げています。
そこで、先の願いを、技術的に達成するためにはどうすればよいか考えた。
【発明の開示】
【発明が解決しようとする課題】
【０００３】  近年、地方の鉄道事業は、人口減少、少子化、及び、急速な車社会への移行に伴い、人・物を輸送して頂く運賃収入が激減し、収益面で非常に厳しい所が多い。
また、近年、我が国の鉄道事業各社は、世界各国での鉄道インフラの国際入札の際にも、苦戦する場合が、多々発生している。
ここでも、外国と差別化を図る新技術、新機能の必要性を痛感していた。
そこで、この鉄道事業に関して、ほんとうに、運賃収入以外に収益を得る方法は無いのかを課題として取り組んだ。
【課題を解決するための手段】
【０００４】  鉄道事業は、毎日、時刻表に従って、鉄道車両を運行して、人、物を輸送し、その運賃を得るだけという、従来の固定概念の大転換を行い、新規分野として、この鉄道車両の運行を利用し、鉄道車両にビデオカメラを設置して、色色な風景を撮影する。
それらを、そのままで、又は、色色と加工、編集して、出来る範囲で、その地方の紹介や観光案内等も組み込み、その地方の魅力的な鉄道風景の作品を作成する。
その作品の販売は勿論、その作品の持つその地方の紹介や、観光案内等の機能を有効活用して、その地方の知名度を上げ、同時に、集客力の大幅な増加も図って、大幅な増収、増益を図る。
【発明の効果】
【０００５】  本発明は、今まで、鉄道事業として、人、物の輸送による運賃収入以外に収入源が見出せなかった事業所にとっては、非常に期待出来る朗報だと考えます。
又、今でも、鉄道の旅関連の番組は非常に好評で人気が有る。
さて、本発明の日本での採用により、日本全国、本発明が採用された鉄道車両の走っている所全てが、又、将来的には、全世界で採用されれば、採用された所、全てが、いつでもどこでも、誰でも、日本は勿論、やがて、世界の好きな場所が、すぐに、且つ、非常に簡単に鑑賞出来るようになる。
これは、非常に楽しいことだと思います。
又、この楽しい鑑賞旅行に感動して、実際に、その好きな場所を、訪れる人も多くなると思います。
実際に、その様な旅心を誘う鉄道風景の傑作を多く創作して頂きたい。
本発明の鉄道風景の作品を、その地方の紹介や観光案内として有効活用すれば、その地方の再生、活性化、及び、地方鉄道事業の再生にも大きく貢献するものと確信しています。
【発明を実施するための最良の形態】
【０００６】  先ず、本発明の撮影で、成果が出せない、地下鉄、トンネルが非常に多い所、及び、振動が激し過ぎる所、及び、スピードが速すぎて、カメラが対応出来ない場合等では、使用しないで下さい。
尚、この中で、振動が激し過ぎる件と、スピードが速すぎて、カメラが対応出来ない件は今後の研究、技術開発により改善出来る所なので、対応を、よろしくお願いします。
次に、本発明の撮影に関しては、都会よりも、地方の方が適していると考えます。
電化された大都会の複雑な電線類や電柱、その他、乱立するビル群による視界の悪さ、これに比べ、電化もされていない地方の特に、ディーゼル車の場合などでは、電線も無くビル群もなく、大自然に囲まれた雄大な眺望、四季折々の草花が咲き乱れるのどかな田園風景等が、満喫出来る映像が撮れるのではと思っています。
特に、この様な地方こそ、地域の再生、活性化や、旅行客の増加のためにも、本発明の鉄道風景の傑作、力作を作成して頂きたい。
又、ビデオカメラの設置場所に関して、コスト面、及び、厳しい自然環境を考慮して、ここでは車両内部にしました。
そして、一般的には、先頭車両で、その後方は使用しない。
又、一般的に、より広範囲に鮮明な画像が得られる様に、鉄道車両の前方、後方、右側、左側に、設置出来るようにしておき、ここに常設して置くのが、一番簡単ですが、実際には、必要に応じて、必要な箇所へビデオカメラを設置して、撮影すればよいと考えます。
又、この撮影で、録音結果が、騒音ばかりで、不愉快と感じる場合は、必要な箇所以外はその場に適したＢＧＭ等へ変換してもよいのではと考えています。
【図面の簡単な説明】
【０００７】
【図１】本発明の鉄道車両の一例の斜視図
【符号の説明】
【０００８】（１）鉄道車両、（２）前方設置のビデオカメラ、（３）後方設置のビデオカメラ、（４）右側設置のビデオカメラ、（５）左側設置のビデオカメラ
【図１】
2018190364.tif 000003
(57)【要約】【課題】リュックを背負ったままポーチを出し入れできるようにした、ポーチ付きリュックを提供する。【解決手段】チェーンリールでつながれたポーチをリュックの側面に格納し、リュックを背負ったままポーチを出し入れできるようにした、ポーチ付きリュック。【選択図】図１
2018050861.tif 000002
【特許請求の範囲】
【請求項１】
チェーンリールでつながれたポーチをリュックの側面に格納し、リュックを背負ったままポーチを出し入れできるようにした、ポーチ付きリュック。
【発明の詳細な説明】
【技術分野】
【０００１】
本発明は、チェーンリールでつながれたポーチをリュックの側面に格納し、リュックを背負ったままポーチを出し入れできるようにした、ポーチ付きリュックに関するものである。
【背景技術】
【０００２】
従来、リュックの中にポーチを格納していた。
【発明の概要】
【発明が解決しようとする課題】
【０００３】
次のような問題点があった。
（イ）リュックの中のポーチを出すのにはリュックを下さなければならなかった。
本発明は、以上の問題点を解決するためになされたものである。
【課題を解決するための手段】
【０００４】
チェーンリールでつながれたポーチをリュックの側面に格納した。
【発明の効果】
【０００５】
リュックを背負ったままポーチを出し入れできるようになる。
【図面の簡単な説明】
【０００６】
【図１】本発明の、リュック（１）からポーチ（２）を出した状態の斜視図である。
【図２】本発明の、リュック（１）にポーチ（２）が入った状態の断面図である。
【発明を実施するための形態】
【０００７】
以下、本発明の実施の形態について説明する。
（イ）リュック（１）の側面に開口部（１ａ）を設け、そこにポーチ（２）を格納する。
（ロ）チェーンリール（３）は、リュック（１）の側面の開口部（１ａ）の内部についており、チェーンリール（３）のチェーン（３ａ）とポーチ（２）のチェーン取り付け部（２ａ）がつながっている。
（ハ）ポーチ（２）のチェーン取り付け部（２ａ）の反対側にクリップ（２ｂ）がついている。
本発明を使用するときは、リュック（１）を背負ったまま、クリップ（２ｂ）を手でつまんでポーチ（２）を引っ張り出すことにより、チェーンリール（３）のチェーン（３ａ）が延びるので、その状態でポーチ（２）を使用することができる。
ポーチ（２）を引っ張り出た力を弱めるとチェーンリール（３）の力により、ポーチ（２）はリュック（１）の側面の開口部（１ａ）に格納される。
このとき、チェーン取り付け部（２ａ）の形状は、リュック（１）の側面の開口部（１ａ）にかからないよう、チェーン（３ａ）を頂点とした三角形のようが滑らかな形状が望ましい。
クリップ（２ｂ）を使用することにより、チェーンリール（３）のチェーン（３ａ）が延びた状態を維持することができる。
このとき、クリップ（２ｂ）の代わりにフックを用いでもその機能を果たす。
【符号の説明】
【０００８】
１    リュック
１ａ  開口部
２    ポーチ
２ａ  チェーン取り付け部
２ｂ  クリップ
３    チェーンリール
３ａ  チェーン
【図１】
2018050861.tif 000003
【図２】
2018050861.tif 000004
(57)【要約】【課題】TV等待機電力がある機器の主電源や、照明等必要のない機器の電源を就寝や外出のたびに切断して歩くのは時間のかかる作業である。また冷蔵庫や予約録画機器は常に電源を入れておく必要あるので、配線用遮断機で切断することは出来ない。【解決手段】電源を切りたい機器用に電源の遮断・接続のための電源コントローラをコンセントに設置し、また他の場所のコンセントに設置した信号送信機から、電源コントロールラへ遮断・通電の信号を送ることで、一斉に電源コントローラに接続した機器の電源を遮断したり通電したりすることで解決できる。【選択図】図1
2018050188.tif 000002
【特許請求の範囲】
【請求項１】
遮断・接続信号を送る信号送信回路、並びに家電製品等の電源の遮断・通電する電源コントロール回路。
【発明の詳細な説明】
【技術分野】
【０００１】
本発明は、住宅の屋内配線に接続する家電製品の電源を一か所でコントロールすることに関するものである。
【背景技術】
【０００２】
住宅等の屋内配線には多数の家電製品が接続されている。不必要な家電製品の電源を一か所で切断(接続)できるようにするため、コンセントに差し込んだコントローラから家電製品の電源をコントロールする回路に信号を送ることにより実現できる。
【０００３】
ホテルなどは、部屋ごとに一括して電源をコントロールしているが、一般住宅等では冷蔵庫など電源を切断できない機器も多いので一括してのコントロールは難しい。
【０００４】
住宅や会社等の屋内配線に接続されている機器には、スイッチを入れるとすぐに起動する機器が多くなっており長時間使用しないときは、これらの機器の待機電力で無駄になる部分が多くなっている。しかも、機器の中には冷蔵庫や予約機能を持つ録画機器などは、常に電源を入れておく必要がある機器もあり、全体の配線用遮断機で切断することは出来ない。
【０００５】
TV等待機電力がある複数の機器の主電源を外出や就寝時に切断したり、帰宅や起床時に複数の機器の電源を起動することは、各部屋を回らなければならず時間のかかる作業である。
【先行技術文献】
【特許文献】
【０００６】
【特許文献１】特開平７−１１１１２１号
【非特許文献】
【０００７】
【非特許文献１】電気書院  「第二種電気工事士筆記試験受験テキスト」
【発明の概要】
【発明が解決しようとする課題】
【０００８】
解決しようとする問題点は、TV等待機電力がある機器の電源を一括して切断し、しかも冷蔵庫などの常に電源供給が必要な機器の電源は切断しない点である。
【課題を解決するための手段】
【０００９】
本発明は、電源を切断(接続)したい機器のコンセントに電源の接続・切断を行うコントローラを設置し、他の場所のコンセントに接続した接続・切断の信号を送信する信号送信用のコントローラを設けることで解決することができる。
【発明の効果】
【００１０】
常時電源が入っている機器の中で、就寝時や外出時に不必要な機器の電源に設置することにより、一か所から電源の遮断・通電が出来る。このシステムにより、一括して電源供給の必要のない電源回路を切断することを可能とするため、省エネならびに消し忘れ等の心配がなくなることが大きな特徴である。また信号送信機は、通常のコンセントに接続することでどこからでも信号を送信することができる。
【図面の簡単な説明】
【００１１】
【図１】図１は信号送信機と電源コントロール部全体構成の説明図である。
【図２】図２は電源コントロール回路構成の説明図である。
【図３】図３は信号送信回路構成の説明図である。
【発明を実施するための形態】
【００１２】
信号送信機をコンセントに差込み、また電源の接続・切断を行いたい機器に接続した電源コントローラをコンセントに差し込むことにより、家中どこからでも必要な機器の電源を切断・接続することが出来る。
【実施例１】
【００１３】
図１は、全体の構成図で、不在時や就寝時に主電源を切りたい家電製品のコンセントを電源コントローラに接続する。また、他のコンセントに、この電源コントローラに遮断・接続信号を送る信号送信機を接続した図である。
【００１４】
図２は、電源コントロール回路の構成図であり、信号送信機で作り出した2つの周波数の信号A [kHz](遮断)または、B[kHz](通電)を受信し、受信した信号により、電源の遮断・通電を行う。
【００１５】
図３は、信号送信回路の構成図であり、電源コントローラに送る2つの周波数の信号A [kHz](遮断)または、B[kHz](通電)を送信する。
【００１６】
本発明は、一括して電源供給の必要のない電源回路を遮断することを可能とするため、省エネならびに消し忘れ等の心配がなくなること、またコンセントのある場所どこからでも遮断・通電が可能であることが大きな特徴である。
【産業上の利用可能性】
【００１７】
一般住宅だけではなく、会社や工場などでも常時通電が必要な機器と稼動しないときは切断したい機器をこの電源コントローラを介してコンセンに接続することにより、コンセントのあるどの場所からも1回の操作で通電・遮断ができ、便利なだけでなく消し忘れ防止や節電に結びつく。
【図１】
2018050188.tif 000003
【図２】
2018050188.tif 000004
【図３】
2018050188.tif 000005
(57)【要約】【課題】この発明はハンガーを物干し竿等へ掛ける時、フックの開いている方向が物干し竿に対して反対側を向いていたとしても、フック自身を摘む事なく、その向きを修正出来るハンガーを提供する。【解決手段】ハンガーのフックを構成する円を、その回転の中心軸に対して左右不対象な円弧で構成し、更にフックの外側に作業用の凹みを作成し、そのハンガーのフック外側の作業用凹みを物干し竿等に当てる事により、フックの向きを物干し竿に掛けられる向きになる様なハンガーを提供する事で解決した。【選択図】図１
2018050672.tif 000002
【特許請求の範囲】
【請求項１】
ハンガーのフックを構成する円弧を、その回転の中心軸に対して左右不対象な円弧で構成し、更にその外側に作業用の凹みを作成してあるフックで作成されたハンガー。
【発明の詳細な説明】
【技術分野】
【０００１】
本発明は、衣服等を乾燥する為に使用するハンガーのフックに関する。
【背景技術】
【０００２】
従来より、衣服等の乾燥に使用するハンガー（以降、ハンガーとのみ称す）のフックは、ハンガー本体に対して自由に回転する軸を持って取り付けられ、フックの開いている方向を自在に変えられる機構を成している場合が多い。
【発明の概要】
【発明が解決しようとする課題】
【０００３】
しかしながら、その様な機構のフックを持ったハンガーはフックの向きが自在に変えられるが故に、実際にハンガーを使用するべく、例えば洗濯物をハンガーに掛け、更にそのハンガーを物干し竿等に掛けようとした際に、そのフックの開いている向きが物干し竿と逆方向になっている事に気付く事が時々発生する。
その場合、これまではフックの向きを変える際、フック自身を摘んで向きを変えるしかなく、些細な事ではあるが煩わしさは免れなかった。
そして、本発明はこの煩わしさを解決する事を課題とする。
【課題を解決するための手段】
【０００４】
以上の課題を解決する為に本発明のハンガーは、ハンガーのフックを構成する円を、その回転の中心軸に対して左右不対象な円弧で構成し、更にフックの外側に作業用の凹みを作成してある。
【発明の効果】
【０００５】
これにより、ハンガーを物干し竿に掛ける際、フックの向きが物干し竿と逆方向であったと気付いても、フックを摘む事なく、フック外側の作業用の凹みを物干し竿に押し当てる事で、簡単にフックの向きを直す事の出来るハンガーを提供する事が出来る。
【図面の簡単な説明】
【０００６】
【図１】本発明であるハンガーの全体図。
【図２】フックの向きが逆方向の際、向きを是正する模式図。
【図３】従来のハンガーフックと本発明のハンガーフック形状の比較図。
【図４】従来のハンガーフックでフックの回転動作を行った時の模式図。
【図５】本発明のハンガーフックでフックの回転動作を行った場合の模式図
【発明を実施するための形態】
【０００７】
本発明であるハンガーについて図１〜５を用いて説明する。
まず、本発明であるハンガーのフック形状の特徴は図３で示す様にフックが回転する中心軸に対して、左右の半径が非対象となっている。
つまり、左図に置いてフックの円弧を構成する半径は、中心軸に対して図面上での左側の円弧の半径：Ｒ１と図面上右側の円弧の半径：Ｒ２の大きさの関係は  Ｒ１<Ｒ２  であり、従って各の円弧の中心点もまた、回転中心軸に対して、Ｒ１の中心点はＲ２の中心点よりも高さAの分だけ上側にある。
更にハンガーのフックの外側に作業用の凹みも有している。
従って、このハンガーを物干し竿等に掛ける際、フックが物干し竿と反対方向を向いていても、図２に示す様に、フック外側の凹み部を物干し竿に当てる事で、簡単にフックの向きを変更出来る。
以上の動作を通常のフック形状をしているハンガーで行った場合の比較を図４で説明する。
図４に示す様に、通常のフックは仮に作業用の凹み部のみを設けたとしても、フックの外径が左右対称の為、フック外側の凹みを物干し竿に当てて、フックの回転操作をした場合に凹み部の反対側のフック先端部分が物干し竿に当たり、フックの向きを変える事が出来ない。
そして、図５で本発明の形状のフックで同様の動作を行った場合を詳細に説明する。
図３で解説した様に、本発明ではフックの外径が左右非対象であり、またその各々の中心点もずれている為、フックの向きを変えるべく、フック外側の凹みを物干し竿に当てて回転操作をしても、フックの先端部分が物干し竿に当たらずにフックの向きを変える事が出来るのである。
【実施例】
【０００８】
本発明であるハンガーは、試作品として発明者自身の環境において実際の使用に供されている。
【産業上の利用可能性】
【０００９】
ハンガーの普及状況から有望であると思われる。
【図１】
2018050672.tif 000003
【図２】
2018050672.tif 000004
【図３】
2018050672.tif 000005
【図４】
2018050672.tif 000006
【図５】
2018050672.tif 000007
(57)【要約】【課題】椅子に座ったまま容易に足踏み運動ができる運動器具を提供する。【解決手段】足踏み棒（１）の中央部に支点部（２）を備えたことを特徴とするものである。【選択図】図１
2018050677.tif 000002
【特許請求の範囲】
【請求項１】
足踏み棒の中央部に支点部を備えた、シーソー式足踏み器。
【請求項２】
足踏み棒に足つぼ押し用突起を複数以上設けた、請求項１のシーソー式足踏み器。
【請求項３】
足踏み棒の両端を緩衝素材で覆った、請求項１のシーソー式足踏み器。
【請求項４】
足踏み棒に取り付け型支点部を備えた、請求項１のシーソー式足踏み器。
【発明の詳細な説明】
【技術分野】
【０００１】
本発明は、椅子に座っている時に足を置いた棒をシーソーのように上下させることで、手軽に足踏み運動ができる健康器具に関するものである。
【背景技術】
【０００２】
近年、長時間椅子に座っていると健康に悪いという研究結果が発表された。１日に６時間座っていると死のリスクが４０％増大するとのことであるが、オフィスでのデスクワークや乗り物での移動時など、現代社会において長時間座ることが避けられない場合が少なくない。
【発明の概要】
【発明が解決しようとする課題】
【０００３】
本発明は、座っている時に手軽に運動できる、運動器具に関するものである。
【課題を解決するための手段】
【０００４】
上記目的を達成するために、本発明において請求項１に係るものは、足踏み棒の中央部に支点部を備えたものである。
【０００５】
請求項２に係るものは、請求項１に係るものにおいて、足踏み棒に足つぼ押し用突起を複数以上設けたものである。
【０００６】
請求項３に係るものは、請求項１に係るものにおいて、足踏み棒の両端を緩衝素材で覆ったものである。
【０００７】
請求項４に係るものは、請求項１に係るものにおいて、取り付け型支点部を備えたものである。
【発明の効果】
【０００８】
本発明は、以上説明したように構成されており、以下に記載されるような効果を有する。
【０００９】
請求項１に係る仕組みを用いた場合、まず、椅子に腰かけ、支点部を中心として足踏み棒の両側にそれぞれの足をのせ交互に体重をかけることにより、座りながらにして容易に足踏み運動をすることができる。
【００１０】
請求項２に係る仕組みを用いた場合、請求項１に係る仕組みを用いた場合に加え、足踏み棒に足つぼ押し用突起を複数以上設けたもので、足裏を強く刺激することにより、血流量の増加が期待できる。
【００１１】
請求項３に係る仕組みを用いた場合、請求項１に係る仕組みを用いた場合に加え、足踏み棒の両端を緩衝素材で覆ったもので、足踏み棒の端が床に衝突したときの音を小さくすることができる。
【００１２】
請求項４に係る仕組みを用いた場合、請求項１に係る仕組みを用いた場合に加え、足踏み棒と、支点部を個別に製造可能になる。足踏み棒の部分は基本的に普通の塩化ビニールのパイプなどが使えるため、それを流用するのであれば、設備投資を削減することができる。
【図面の簡単な説明】
【００１３】
【図１】発明を実施するための形態を示す斜視図である。
【図２】実施例１を示す斜視図である。
【図３】実施例２を示す斜視図である。
【図４】実施例３を示す正面図である。
【図５】実施例４を示す斜視図である。
【発明を実施するための形態】
【００１４】
本発明を実施するための形態を図１に基づいて説明する。足踏み棒（１）の中心部に球状の支点部（２）を設けたものである。使用法は利用者が椅子に腰かけて、足元に置かれたシーソー式足踏み器の足踏み棒（１）に両足を載せて、交互に体重をかけることにより、片方の足を踏み下ろせば、自然に反対側の足があがるので、楽に足踏み運動を行うことができる。支点部（２）を球状や円状にすると、前後のスライド運動も行うことができる。
【実施例】
【００１５】
実施例１を図２を基に説明する。足踏み棒（１）に足つぼ押し用突起（３）を設けたものである。足裏を強く刺激することにより、血流量の増加が期待できる。
【００１６】
実施例２を図３を基に説明する。足踏み棒（１）の両端をウレタンなどの緩衝素材で覆ったものである。足踏み棒の端が床に衝突したときの音を小さくすることができ、床を傷つけないようにもできる。
【００１７】
実施例３を図４を基に説明する。取付け式支点部（５）の正面図である。この図ではゴムなどの弾性のある素材で作ることを想定してるが、足踏み棒（１）を挟み込むことができればいいので、例えば洗濯バサミのように、プラスチック素材とバネを組み合わせた物でもよい。
【００１８】
実施例４を図５を基に説明する。足踏み棒（１）に実施例３の取付け式支点部（５）を取り付けた図である。
【符号の説明】
【００１９】
１  足踏み棒
２  支点部
３  足つぼ押し用突起
４  緩衝素材
５  取付け式支点部
【図１】
2018050677.tif 000003
【図２】
2018050677.tif 000004
【図３】
2018050677.tif 000005
【図４】
2018050677.tif 000006
【図５】
2018050677.tif 000007
(57)【要約】      （修正有）【課題】農作物を栽培するとき雑草を抑制するための被覆資材を重量鋼材棒と組み合わせ、一体化して作業の効率をあげるため設けた雑草抑制器具を提供する。【解決手段】被覆資材２の周囲の四辺の端に重量鋼材棒１および延長連結具を装着可能な加工を施して一体化した雑草抑制器具の特徴である。【選択図】図６
2018050612.tif 000002
【特許請求の範囲】
【請求項１】
被覆資材（２）の周囲の端に重量鋼材棒（１）及びロープや針金などを用いて土の表面に密着して、風害防止も兼ねて装着して一体化した雑草抑制器具。
【発明の詳細な説明】
【技術分野】
【０００１】  この発明は、雑草の抑制に関するものであって、主に農作物の栽培にあたって、より便利性を追求した雑草抑制器具に関するものである。
【背景技術】
【０００２】  従来、被覆資材は単一の製品であった。
【発明の開示】
【発明が解決しようとする課題】
【０００３】  これは次のような問題点があった。
従来、農作物を栽培する場合において、作付けする耕地の土壌の表面に被覆資材で被覆を行い、雑草の抑制及び風害を防ぐため、被覆資材の周囲に土を被せ固めて用に供していたが、この作業は、かなりの時間と熟練を要し、しかも重労働であるとともに、収穫後は被覆資材を剥ぎ取って焼却あるいは廃棄処分にしていた。
本発明は、それらの問題を解決するために考案されたものである。
【課題を解決するための手段】
【０００４】  作付けする耕地の土壌の表面に被覆資材（２）を広げ、被覆資材（２）の周囲の端に重量鋼材棒（１）の短棒の一本を図５のＡの部分より挿入し、短棒の先が図５（Ｂ）の部分より出して装着し、つぎに重量鋼材棒（１）の長棒二本を（Ｃ）及び（Ｄ）の部分より挿入、短棒に突き当たるところで装着し、最後に重量鋼材棒（１）の短棒の二本目を（Ｄ）の部分より挿入して一体化した。
さらに延長連結具（３）によって重量鋼材棒（１）を連結させることで延長可能にした。
本発明は、以上の構成による雑草抑制器具である。
【発明の効果】
【０００５】  被覆資材を重量鋼材棒と一体化することで、さまざまな利点が生じた。
理由は  １  雑草抑制器具を耕地の土壌の表面に広げ置きするだけで、作業は完了し、              作業が格段と大幅に改善された。
２  収穫後は被覆資材に装着した重量鋼材棒を抜き取って、被覆資材を折り畳              んで収納すれば必要に応じ何回でも使用可能である。
３  収穫後に剥ぎ取った被覆資材の廃棄処分が著しく改善され自然保護に役立              つ。
４  必要に応じて、装着した重量鋼材棒を軽く持ち上げることが出来るので、              地表温度の調整が可能である。
【発明を実施するための最良の形態】
【０００６】  被覆資材（２）の周囲の端に重量鋼材棒（１）を装着させるため、被覆資材（２）の四辺を二重に折合わせ、重量鋼材棒（１）及び延長連結具（３）が通せる巾を設けて密着し、重量鋼材棒（１）の短棒二本、長棒二本を周囲の端に通し、装着して一体化した構造である。
【図面の簡単な説明】
【０００７】
【図１】  本発明の被覆資材の平面図である。
【図２】  本発明の重量鋼材棒の短棒二本と長棒二本に延長連結具を使用して連結した平面図である。
【図３】  延長連結具の斜視図である。
【図４】  重量鋼材棒に被覆資材を装着した中央断面図である。
【図５】  被覆資材のＡ、Ｂ、Ｃ、Ｄ部分の共通した挿入出口の斜視図である。
【図６】  被覆資材と重量鋼材棒で一体化した雑草抑制器具の一部分の斜視図である。
【符号の説明】
【０００８】  １  重量鋼材棒
２  被覆資材
３  延長連結具
Ａ  重量鋼材棒の挿入出口
Ｂ  重量鋼材棒の挿入出口
Ｃ  重量鋼材棒の挿入出口
Ｄ  重量鋼材棒の挿入出口
Ｅ  被覆資材に、種苗を施すために切り抜き、切りつけた部位
【図１】
2018050612.tif 000003
【図２】
2018050612.tif 000004
【図３】
2018050612.tif 000005
【図４】
2018050612.tif 000006
【図５】
2018050612.tif 000007
【図６】
2018050612.tif 000008
(57)【要約】      （修正有）【課題】蔓性植物など縦長になる植物の栽培において、採光と栽培管理通路の領域可変機能を有した可倒式栽培棚を提供する。【解決手段】植物の蔓を導くため一定間隔で垂直に配した、誘引線ａ列１と誘因線ｂ列２の２列で構成した栽培棚は、管理作業時の通路を確保し、足元から頭上までの空間を作り出す構成とした。また、誘引線ａ列１と誘因線ｂ列２の２列の上部をＶ字形に開口させるために横可動桟３と縦桟Ａの間に下部ヒンジＣを設け、Ｖ字形に開口できるようにした。【選択図】図１
2018050615.tif 000002
【特許請求の範囲】
【請求項１】
誘引線ａ列及び誘引線ｂ列を構成している横可動桟と連結している縦桟の上部にヒンジを設け、誘引線ａ列及び誘引線ｂ列の上部を開口できる構成とした、棚列上部開口と可倒機能を有した栽培棚。
【請求項２】
請求項１記載の棚列間の上部を開口した状態で、その幅を一定の開き幅を保持するためメイン支柱から着脱可能で左右均等な長さのリミッター紐をａ列とｂ列横可動桟又は縦桟に取り付けた、棚列上部の開口と可倒機能を有した栽培棚。
【請求項３】
請求項１及び２記載のａ列とｂ列の横固定桟と縦桟が連結している部分に下部ヒンジを設け、ａ列とｂ列の可動桟が長手方向に可動できる構成とし、横可動桟又は縦桟のそれぞれの中央付近に昇降紐を取り付け、その紐の末端側をメイン支柱側へ配し、その昇降紐を操作することにより誘引線のａ列とｂ列を昇降させることを可能とした、棚列上部の開口と可倒機能を有した栽培棚。
【発明の詳細な説明】
【技術分野】
【０００１】
本発明は、蔓性植物などの栽培棚における、栽培植物の育成と、管理作業のための通路を有効活用するための植物栽培棚に関するものである。
【背景技術】
【０００２】
外国の栽培先進国では１％採光障害は１％の減収になると言われるほど栽培施設の中に影を作らないなど植物光合成に寄与する技術が重要視されている。
【０００３】
しかしながら従来より、蔓性植物の栽培においては、その植物に必要な栽培棚の間隔と栽培管理のための通路は固定的に確保した配置で圃場が設計されている。
【０００４】
また、従来の露地栽培においては、強風から栽培植物を保護する機能は栽培棚自体では有しておらず、台風など天候不良時の強風により栽培棚や植物に被害が発生している。
【先行技術文献】
【特許文献】
【０００５】
【特許文献１】特開２００７−１３５５６０号公報
【発明の概要】
【発明が解決しようとする課題】
【０００６】
上記公知の栽培棚では通路は栽培管理上無くてはならないスペースではあるが、植物栽培における通路の利用率は低く、管理作業以外の利用していない時の空間に課題がある。
【０００７】
また、露地栽培では天候不良など、強風から栽培棚の破損や作物への被害を防ぐ課題がある。
【課題を解決するための手段】
【０００８】
本発明は上記課題を解決するために、蔓性植物などを栽培する棚において、植物を導くため一定間隔で垂直に配した、誘引線の列で構成した栽培棚の上部を、Ｖ字形に開口させる構成により、栽培植物への採光を確保し、管理作業を行う時は栽培棚の上部をＶ字形開口から平行で垂直な列の栽培棚に戻することにより、通路としての管理空間を作り出す構成とした。
【０００９】
また、露地栽培などにおける天候不良による強風から作物を守るために横可動桟を平行状態を保ちながら倒伏させる機能を具備した。
【発明の効果】
【００１０】
この発明によれば、蔓性植物などを栽培する棚において、植物を導くため一定間隔で垂直に配した、誘引線の列で構成した栽培棚の上部をＶ字形に開口させ、採光を効率良く受けられる形態から、栽培棚の誘引線が平行で垂直な形態へ可変できることにより、栽培棚の両サイドを通路として管理空間を作り出す機能を備えた構成のため、利用率が比較的少ない通路を栽培植物への採光スペースとして有効活用できるようにしたことにより施設栽培や露地栽培において、圃場の省スペース化栽培が期待でき、従来の固定型の栽培棚では限界であった単位面積当たりの作付面積を増やす効果も期待できる。
【００１１】
また、副次的効果として露地栽培においては、棚の誘引線部を倒伏すことが可能な構成とすることにより、天候不良による台風などの強風から作物と栽培棚を守ることを可能とした。
【図面の簡単な説明】
【００１２】
【図１】栽培棚の側面図・正面図
【図２】Ｖ字開口正面図
【図３】栽培棚を倒伏させた側面図・正面図
【図４】栽培棚を倒伏させた上面図・正面図
【発明を実施するための形態】
【００１３】
本発明の実施の形態について、一実施例としてパッションフルーツ栽培を対象として
１、通常の栽培棚形態について２、強風から栽培植物を保護するための倒伏させる形態について説明する。
【００１４】
説明１、通常栽培である植物の採光に適した形態への棚の操作及び、栽培管理形態への操作について説明する。
【００１５】
図-１は栽培棚の側面図と正面図であり、説明のための初期状態を図-１の形態と仮定する。
【００１６】
パッションフルーツの親蔓を横可動桟または、横固定桟に水平に沿わせて親蔓が必要な長さに達するまで成長させ生長点を摘芯し、小蔓の成長にしたがい各小蔓をそれぞれの誘引線に導き仕立てる。
【００１７】
このようにして各誘引線で小蔓が成長する段階から図-２のＶ字開口正面図のように上固定桟から左右の横可動桟を分離させ左右に開き、図-４に示すように縦桟と誘引線がＶ字に開き、採光を受けやすいこの形態で栽培する。
【００１８】
次に蔓の誘引や整理など、栽培上の管理作業を行う場合は、Ｖ字形に開いている左右の横可動桟を垂直にするため、開きリミッター紐をメイン支柱側へ引き寄せ、左右の横可動桟を上固定桟へセットし固定する。
【００１９】
この操作により縦桟及び誘引線が垂直な図-１の栽培棚の正面図の形態となり管理作業通路が確保される。
【００２０】
次に説明２、栽培棚の縦桟と誘引線部を倒伏させる操作について説明する。
【００２１】
上固定桟に固定されている横可動桟を分離させた後、横可動桟昇降紐を持ち、横可動桟を長さ方向に押すことにより下部ヒンジを支点に横可動桟が平行状態で倒伏を開始する。
【００２２】
このとき横可動桟昇降紐を送り出しながら倒伏を完了させ、必要に応じて倒伏させたパッションフルーツに不織布などで覆い保護する。
【００２３】
また、倒伏させたパッションフルーツを元の栽培状態とする場合は倒伏のときと逆の手順の操作を行う。
【産業上の利用可能性】
【００２４】
本発明は蔓性植物など縦長になる植物の栽培において、利用率が比較的少ない通路を栽培植物への採光スペースへ領域可変させる機能により、施設栽培や露地栽培において、圃場の採光と作業スペースを両立させることを可能とした。このことにより施設栽培や露地栽培において、圃場の省スペース化が期待でき、従来の固定型の栽培棚では限界であった単位面積当たりの作付面積を増やす効果が期待できる。
【符号の説明】
【００２５】
１誘引線ａ列    
２誘引線ｂ列
３横可動桟
４横固定桟
５誘引線
６開きリミッター紐
７メイン支柱
８上固定桟
９下固定桟
１０昇降紐
Ａ  縦桟
Ｂ  上部ヒンジ
Ｃ  下部ヒンジ
Ｄ  ガイド部
【図１】
2018050615.tif 000003
【図２】
2018050615.tif 000004
【図３】
2018050615.tif 000005
【図４】
2018050615.tif 000006
(57)【要約】【課題】大過去大未来に行くワームホール揺らしウラシマ効果が出来ず難点だった。【解決手段】ＬＨＣで光に限りなく近い速さまで加速した陽子と陽子を正面衝突させる。すると膨大な量のエネルギーが発生してブラックホールが出来るからワームホールも出来る。このエネルギーが弱いとワームホールは過去へ開く、強いと未来へ開く。このＬＨＣワームホールを連続して作りそれに陽子と陽子も連続衝突させ揺らしウラシマ効果（リップバン効果）で大過去大未来行きも可能で超巨大なので脳しわ、小腸、渦巻き型に改良して縮小型とする。この揺すり方のウラシマ効果という改良によって大未来大過去へのワームホールタイムマシンが狭い所でもコストを下げて量産出来る。【選択図】なし【特許請求の範囲】
【請求項１】
（ィ）ＬＨＣで光に限りなく近い速さまで加速した陽子と陽子を正面衝突させる。
（ロ）すると膨大な量のエネルギーが発生してブラックホールが出来るからワームホールも出来る。
（ハ）このエネルギーが弱いとワームホールは過去へ開く、強いと未来へ開く。
（二）このＬＨＣワームホールを連続して作りそれに陽子と陽子も連続衝突させ揺らしウラシマ効果（リップバン効果）で大過去大未来行きも可能で超巨大なので脳しわ、小腸、渦巻き型に改良して縮小型とする。
（ホ）この揺すり方のウラシマ効果という改良によって大未来大過去へのワームホールタイムマシンが狭い所でもコストを下げて量産出来る。
以上の如く特徴から成るＣＥＲＮ内ウラシマ効果利用縮小ＬＨＣ弱過去強未来ワームホールタイムマシン。
【発明の詳細な説明】
【技術分野】
【０００１】  本発明は、従来の改良脳しわ大腸渦巻き型縮小ＬＨＣ弱過去強未来ワームホールタイムマシンのウラシマ効果のワームホールの揺すりに関する。
【背景技術】
【０００２】  従来、ワームホールの揺すりが出来ずＬＨＣ利用ワームホールタイムマシンは超巨大で大きな土地、高コストだった。（例えば非特許文献２参照。）。【０００３】
【非特許文献１】「タイムマシンがみるみるわかる本愛蔵版」、２００８年６月９日、佐藤勝彦、ＰＨＰ研究所、８頁から１１頁
【非特許文献２】「日経サイエンス」、２００９年３月号、日経サイエンス社、９２頁から１０７頁、
【非特許文献３】「ｔｉｍｅ  ｍａｃｈｉｎｅ  ａｔ  ｔｈｅ  ＬＨＣ」ロシアの数学者たち全１２頁
【特許文献１】特開２００９−１７１８４０
【発明の開示】
【発明が解決しようとする課題】
【０００４】  従来、ＬＨＣ利用ワームホールタイムマシンのワームホールの揺すり出来ず超巨大で大きな土地、高コストだった。
【課題を解決するための手段】
【０００５】  ＬＨＣで陽子同士の衝突を連続させワームホールの揺すりウラシマ効果で大過去大未来に行け脳しわ小腸渦巻き型に縮小して狭い土地で低コストにする。
【発明の効果】
【０００６】  ワームホールの揺すりのウラシマ効果で大過去大未来に行け技術的に狭い土地で低コストでタイムマシン製造が可能となる。
【発明を実施するための最良の形態】
【０００７】  ＬＨＣで光に限りなく近い速さまで加速した陽子と陽子を正面衝突させる。すると膨大な量のエネルギーが発生してブラックホールが出来るからワームホールも出来る。このエネルギーが弱いとワームホールは過去へ開く、強いと未来へ開く。このＬＨＣワームホールを連続して作りそれに陽子と陽子も連続衝突させ揺らしウラシマ効果（リップバン効果）で大過去大未来行きも可能で超巨大なので脳しわ、小腸、渦巻き型に改良して縮小型とする。この揺すり方のウラシマ効果という改良によって大未来大過去へのワームホールタイムマシンが狭い所でもコストを下げて量産出来る。
以上の如く特徴から成るＣＥＲＮ内ウラシマ効果利用縮小ＬＨＣ弱過去強未来ワームホールタイムマシン。
【実施例】
【０００８】    上記の如く実施される。
【産業上の利用可能性】
【０００９】    この改良版は技術的に可能なレベルで当業者の製造も可能と解されＬＨＣは既成のもので設計の縮小化をはかるのみであるしワームホールの揺すりでウラシマ効果により大過去大未来に行けるようにした。